(57)【要約】  抄紙機の形成部に使用し得る抄紙機用布であって、機械を横切る方向（ＣＤ）ヤーンの２つの層を有する抄紙機用布を開示する。ＣＤヤーンと織り交ぜられるのは、ＭＤヤーンのシステムである。少なくともいくつかのＭＤヤーンは、第１ＭＤヤーン及び第２ＭＤヤーンを有する交差対と、第３ＭＤヤーン及び第４ＭＤヤーンを有する第２対とを有する交互の対にグループ分けされる。第１ＭＤヤーン及び第２ＭＤヤーンは、組み合わせて、第１層において各ＣＤヤーンと織成され、且つ第１層と第２層との間を交差する。これらの対における左及び右の縦糸は、隣り合う対からの隣り合うヤーンが隣り合う対の隣り合わないヤーンからのＭＤ方向のセルの長さよりも大きい又は小さいＭＤ方向のセルの長さを有するように、配列される。第３ＭＤヤーンは、ＣＤヤーンの第１層と織り交ぜられ、第４ＭＤヤーンは、ＣＤヤーンの第２層と織り交ぜられる。この様式において、対となった縦糸の２層形成布は、排出、及び重なり合う位置における形態上のマーキングを最小限にするように、製造され得る。
2008509294.tif 000002
【特許請求の範囲】
【請求項１】
機械を横切る方向（ＣＤ）のヤーンの第１層及び第２層と；
機械方向（ＭＤ）のヤーンのシステムであって、少なくともいくつかのＭＤヤーンは、第１ＭＤヤーン及び第２ＭＤヤーンを有する交差対と、第３ＭＤヤーン及び第４ＭＤヤーンを有する第２対とを有する対にグループ化された、システムと；
を有する抄紙機用布であって、
前記交差対は、前記第１ＭＤヤーン及び第２ＭＤヤーンが、前記第１層の各ＣＤヤーンを織成し且つ第１層と第２層とを交差するように組み合わせるように、前記のＣＤヤーンの第１層及び第２層と織り交ぜられ；
前記の対の前記のヤーンは、隣り合う対からの隣り合うヤーンが、隣り合う対からの隣り合わないヤーンからのＭＤ方向のセルの長さよりも小さいＭＤ方向のセルの長さを有するように配列され；且つ
前記第３ＭＤヤーンは、前記のＣＤヤーンの第１層と織り交ぜられ、前記第４ＭＤヤーンは、前記のＣＤヤーンの第２層と織り交ぜられていることを特徴とする抄紙機用布。
【請求項２】
当該布は、３層の形成布であることを特徴とする請求項１に記載の抄紙機用布。
【請求項３】
前記のＣＤヤーンの第１層は、当該布の形成側を形成し、
前記のＣＤヤーンの第２層は、当該布の摩耗側を形成することを特徴とする請求項１に記載の抄紙機用布。
【請求項４】
前記交差対は、サテン織りモチーフに配列されていることを特徴とする請求項１に記載の抄紙機用布。
【請求項５】
前記交差対は、綾織りモチーフに配列されていることを特徴とする請求項１に記載の抄紙機用布。
【請求項６】
前記第１層と前記第２層との間にＣＤヤーンの第３層をさらに有することを特徴とする請求項１に記載の抄紙機用布。
【請求項７】
当該布は、１：１のシュート比を有することを特徴とする請求項１に記載の抄紙機用布。
【請求項８】
当該布は、２：１のシュート比を有することを特徴とする請求項１に記載の抄紙機用布。
【請求項９】
当該布は、２０のハーネスの配置に製造されることを特徴とする請求項１に記載の抄紙機用布。
【請求項１０】
当該布は、４０のハーネスの配置に製造されることを特徴とする請求項１に記載の抄紙機用布。
【請求項１１】
少なくともいくつかの前記ＭＤヤーンは、ポリアミドヤーン、ポリエステルヤーン、ポリフェニレンサルファイドヤーン、改変された熱耐性、加水分解耐性及び汚染耐性のポリエステルヤーン、ポリ（シクロヘキサンジメチレン  テレフタレートイソフタレート）ヤーン並びにポリエーテルエーテルケトンヤーンのいずれかであることを特徴とする請求項１に記載の抄紙機用布。
【請求項１２】
少なくともいくつかの前記ＭＤヤーンは、ポリアミドヤーン、ポリエステルヤーン、ポリフェニレンサルファイドヤーン、改変された熱耐性、加水分解耐性及び汚染耐性のポリエステルヤーン、ポリ（シクロヘキサンジメチレン  テレフタレートイソフタレート）ヤーン並びにポリエーテルエーテルケトンヤーンのいずれかであることを特徴とする請求項１に記載の抄紙機用布。
【請求項１３】
当該布は、平織り、又は無端の形態であることを特徴とする請求項１に記載の抄紙機用布。
【請求項１４】
前記第１層及び前記第２層の少なくともいくつかのＣＤヤーンは、垂直に相対した積層位置に存在することを特徴とする請求項１に記載の抄紙機用布。
【請求項１５】
前記交差対の各ＭＤヤーンは、前記第１層と前記第２層との間を交差する場合、少なくとも１つのＣＤヤーン上を通過することを特徴とする請求項１に記載の抄紙機用布。
【請求項１６】
３つの縦糸のビームを使用することを特徴とする請求項１に記載の抄紙機用布。
【請求項１７】
３つ以上の縦糸のビームを使用することを特徴とする請求項１に記載の抄紙機用布。
【請求項１８】
当該布は、同じＣＤ方向の線に沿った交差におけるヤーンが異なる方向に伸び、且つ交差パターンが織成パターンの繰り返しの２の倍数である場合、装飾的な描写でスレッド化されたルーム上に織成されることを特徴とする請求項１に記載の抄紙機用布。
【請求項１９】
前記交差対は、摩耗側の織成の一体化部分であることを特徴とする請求項３に記載の抄紙機用布。
【請求項２０】
前記交差対は、摩耗側の織成においてバインダーとして機能することを特徴とする請求項３に記載の抄紙機用布。
【請求項２１】
前記交差対は、前記第１層において少なくとも１つのＭＤヤーンで分割されていることを特徴とする請求項１に記載の抄紙機用布。
【請求項２２】
当該布は、形成側と摩耗側とを有し；
前記ＭＤヤーンのいくつかは、当該布の摩耗側上で長いフロートを形成することを特徴とする請求項１に記載の抄紙機用布。
【請求項２３】
前記のヤーンのいくつかは、異なる径を有することを特徴とする請求項１に記載の抄紙機用布。
【請求項２４】
前記ＭＤヤーンの少なくともいくつかは、非円形の断面を有することを特徴とする請求項１に記載の抄紙機用布。
【請求項２５】
前記ＣＤヤーンの少なくともいくつかは、非円形の断面を有することを特徴とする請求項１に記載の抄紙機用布。
【請求項２６】
機械を横切る方向（ＣＤ）のヤーンの第１層及び第２層と；
機械方向（ＭＤ）のヤーンのシステムであって、前記ＭＤヤーンの少なくともいくつかは、第１ＭＤヤーン及び第２ＭＤヤーンを有する交差対と、第３ＭＤヤーン及び第４ＭＤヤーンを有する第２対とを有する対にグループ化され；
前記交差対は、前記第１ＭＤヤーン及び前記第２ＭＤヤーンが、前記第１層における各ＣＤヤーンを織成するように且つ前記第１層と前記第２層との間の交差するように組み合わせるように、前記のＣＤヤーンの第１層及び第２層と織り交ぜられ；
前記の対の前記のヤーンは、隣り合う対からの隣り合うヤーンが、隣り合う対からの隣り合わないヤーンからのＭＤ方向のセルの長さよりも大きい長さのＭＤ方向のセルの長さを有するように配列され；且つ
前記第３ＭＤヤーンは、前記のＣＤヤーンの第１層と織り交ぜられ、前記第４ＭＤヤーンは、前記のＣＤヤーンの第２層と織り交ぜられていることを特徴とする抄紙機用布。
【請求項２７】
当該布は、３層の形成布であることを特徴とする請求項２６に記載の抄紙機用布。
【請求項２８】
前記のＣＤヤーンの第１層は、当該布の形成側を形成し、
前記のＣＤヤーンの第２層は、当該布の摩耗側を形成することを特徴とする請求項２６に記載の抄紙機用布。
【請求項２９】
前記交差対は、サテン織りモチーフに配列されていることを特徴とする請求項２６に記載の抄紙機用布。
【請求項３０】
前記交差対は、綾織りモチーフに配列されていることを特徴とする請求項２６に記載の抄紙機用布。
【請求項３１】
前記第１層と前記第２層との間にＣＤヤーンの第３層をさらに有することを特徴とする請求項２６に記載の抄紙機用布。
【請求項３２】
当該布は、１：１のシュート比を有することを特徴とする請求項２６に記載の抄紙機用布。
【請求項３３】
当該布は、２：１のシュート比を有することを特徴とする請求項２６に記載の抄紙機用布。
【請求項３４】
当該布は、２０のハーネスの配置に製造されることを特徴とする請求項２６に記載の抄紙機用布。
【請求項３５】
当該布は、４０のハーネスの配置に製造されることを特徴とする請求項２６に記載の抄紙機用布。
【請求項３６】
少なくともいくつかの前記ＭＤヤーンは、ポリアミドヤーン、ポリエステルヤーン、ポリフェニレンサルファイドヤーン、改変された熱耐性、加水分解耐性及び汚染耐性のポリエステルヤーン、ポリ（シクロヘキサンジメチレン  テレフタレートイソフタレート）ヤーン並びにポリエーテルエーテルケトンヤーンのいずれかであることを特徴とする請求項２６に記載の抄紙機用布。
【請求項３７】
少なくともいくつかの前記ＭＤヤーンは、ポリアミドヤーン、ポリエステルヤーン、ポリフェニレンサルファイドヤーン、改変された熱耐性、加水分解耐性及び汚染耐性のポリエステルヤーン、ポリ（シクロヘキサンジメチレン  テレフタレートイソフタレート）ヤーン並びにポリエーテルエーテルケトンヤーンのいずれかであることを特徴とする請求項２６に記載の抄紙機用布。
【請求項３８】
当該布は、平織り、又は無端の形態であることを特徴とする請求項２６に記載の抄紙機用布。
【請求項３９】
前記第１層及び前記第２層の少なくともいくつかのＣＤヤーンは、垂直に相対した積層位置に存在することを特徴とする請求項２６に記載の抄紙機用布。
【請求項４０】
前記交差対の各ＭＤヤーンは、前記第１層と前記第２層との間を交差する場合、少なくとも１つのＣＤヤーン上を通過することを特徴とする請求項２６に記載の抄紙機用布。
【請求項４１】
３つの縦糸のビームを使用することを特徴とする請求項２６に記載の抄紙機用布。
【請求項４２】
３つ以上の縦糸のビームを使用することを特徴とする請求項２６に記載の抄紙機用布。
【請求項４３】
当該布は、同じＣＤ方向の線に沿った交差におけるヤーンが異なる方向に伸び、且つ交差パターンが織成パターンの繰り返しの２の倍数である場合、装飾的な描写でスレッド化されたルーム上に織成されることを特徴とする請求項２６に記載の抄紙機用布。
【請求項４４】
前記交差対は、摩耗側の織成の一体化部分であることを特徴とする請求項２８に記載の抄紙機用布。
【請求項４５】
前記交差対は、摩耗側の織成においてバインダーとして機能することを特徴とする請求項２８に記載の抄紙機用布。
【請求項４６】
前記交差対は、前記第１層において少なくとも１つのＭＤヤーンで分割されていることを特徴とする請求項２６に記載の抄紙機用布。
【請求項４７】
当該布は、形成側と摩耗側とを有し；
前記ＭＤヤーンのいくつかは、当該布の摩耗側上で長いフロートを形成することを特徴とする請求項２６に記載の抄紙機用布。
【請求項４８】
前記のヤーンのいくつかは、異なる径を有することを特徴とする請求項２６に記載の抄紙機用布。
【請求項４９】
前記ＭＤヤーンのいくつかは、非円形の断面を有することを特徴とする請求項２６に記載の抄紙機用布。
【請求項５０】
前記ＣＤヤーンのいくつかは、非円形の断面を有することを特徴とする請求項２６に記載の抄紙機用布。
【請求項５１】
機械を横切る方向（ＣＤ）のヤーンの第１層及び第２層と；
機械方向（ＭＤ）のヤーンのシステムであって、少なくともいくつかのＭＤヤーンは、第１ＭＤヤーン及び第２ＭＤヤーンを有する交差対と、第３ＭＤヤーン及び第４ＭＤヤーンを有する第２対とを有する対にグループ化された、システムと；
を有する抄紙機用布であって、
前記交差対は、前記第１ＭＤヤーン及び第２ＭＤヤーンが、前記第１層において２よりも大きいシェッドのパターンで織成し且つ第１層と第２層とを交差するように組み合わせるように、前記のＣＤヤーンの第１層及び第２層と織り交ぜられ；
前記の対の前記のヤーンは、隣り合う対からの隣り合うヤーンが、隣り合う対からの隣り合わないヤーンからのＭＤ方向のセルの長さよりも小さいＭＤ方向のセルの長さを有するように配列され；且つ
前記第３ＭＤヤーンは、前記のＣＤヤーンの第１層と織り交ぜられ、前記第４ＭＤヤーンは、前記のＣＤヤーンの第２層と織り交ぜられていることを特徴とする抄紙機用布。
【請求項５２】
前記第１層は、５シェッドのパターンで織成されることを特徴とする請求項５１に記載の抄紙機用布。
【請求項５３】
前記第２層は、５シェッドのパターンで織成されることを特徴とする請求項５１に記載の抄紙機用布。
【請求項５４】
前記第２層は、１０シェッドのパターンで織成されることを特徴とする請求項５１に記載の抄紙機用布。
【請求項５５】
前記のヤーンのいくつかは、異なる径を有することを特徴とする請求項５１に記載の抄紙機用布。
【請求項５６】
前記ＭＤヤーンのいくつかは、非円形の断面を有することを特徴とする請求項５１に記載の抄紙機用布。
【請求項５７】
前記ＣＤヤーンのいくつかは、非円形の断面を有することを特徴とする請求項５１に記載の抄紙機用布。
【発明の詳細な説明】
【技術分野】
【０００１】
本発明は、製紙技術に関する。特に、本発明は、抄紙機の形成部用の形成布に関する。
【背景技術】
【０００２】
製紙工程中、セルロース製の繊維ウェブは、繊維スラリー、つまりセルロース繊維の水性懸濁液を、抄紙機の形成部において移動する形成布上に堆積させることで、形成される。このスラリーから形成布を介して大量の水が排出され、形成布の表面上にセルロース製の繊維ウェブが残存する。
【０００３】
新規に形成されたセルロース製の繊維ウェブは、形成部から、一連のプレスニップを有するプレス部へと進む。セルロース製の繊維ウェブは、プレス布、又はしばしば斯かる２つのプレス布との間に支持されたプレスニップを通過する。プレスニップにおいて、セルロース製の繊維ウェブには、圧縮力がかけられ、この力によりここから水を絞り出し、このウェブにおいてセルロース製の繊維が互いに結合して、セルロース製の繊維ウェブから紙シートとなる。この水は、プレス布及び各種の布に受容され、理想的には、紙シートに戻らない。
【０００４】
この紙シートは、蒸気で内的に加熱される、少なくとも１連の回転可能な乾燥ドラム又はシリンダーを含む乾燥部へと最終的に進む。この新規に形成された紙シートは、ドラムの表面に対して紙シートを近接させて保持する、乾燥布によって一連のドラムのそれぞれの周囲に連続して配置されるセルペンタイン路（ｓｅｒｐｅｎｔｉｎｅ  ｐａｔｈ）に向けられる。この加熱されたドラムは、紙シートの水分含量を、蒸発を介して所望のレベルにまで低減する。
【０００５】
理解されるべきように、形成布、プレス布及び乾燥布は、すべて抄紙機上で無端ループの形態を取り、コンベアの様式で機能する。また理解されるべきように、製紙工程は、かなりの速度で進む連続工程である。つまり、上述の繊維スラリーは、形成部の形成布上に連続して堆積されつつ、一方で新規に製造された紙シートは、乾燥部を脱出した後、ロール上に連続して巻き取られる。
【０００６】
また、プレス布は、紙シートの表面仕上げにも関与する。つまり、プレス布は、プレスニップの通過中、平滑でマークのつかない表面を紙に補完するように、平滑な表面と均一な弾力を有する構造となるように、設計される。
【０００７】
プレス布は、プレスニップにおいて湿潤する紙から抽出された大量の水を受容する。この機能を満たすため、水が脱出するようにプレス布の内部にボイド容量と一般的に称される空間を文字通り有する必要があり、この布は、全体的な耐用年数の間、水に対して十分な透過性を有する必要がある。最後に、プレス布は、湿潤した紙から受容した水がプレスニップから脱出した紙に戻りかつ再湿潤させることを防止し得る必要がある。
【０００８】
各種の織成布は、多くの異なる形態を取る。例えば、織成された無端の形態や、平織りされて継目を有する無端の形態にされるなどである。
【０００９】
本発明は、特に形成部に使用される形成布に関する。形成布は、製紙工程の間、重要な役割を演じる。その一つの機能としては、上述したように、紙製品を形成し、且つ製造された紙製品をプレス部に運搬することである。
【００１０】
しかしながら、形成布は、水の除去及び紙の形成の問題を解決する必要もある。つまり、形成布は、水の通過を可能とする（つまり、排出率を制御する）ように設計されるとともに、同時に、水とともに繊維やその他の固形物が通過するのを阻止するように、設計される。排出が極端に速く又は遅く起こる場合、紙の質及び機械の効率が影響を受ける。排出を制御するため、水を排出するための形成布内部の、一般的にボイド容量と称される空間は、適切に設計されるべきである。
【００１１】
現代の形成布は、製造される紙のグレードに併せて導入される抄紙機の要件を満たすよう設計された種々の形態で製造される。一般的に形成布は、モノフィラメント、諸よりモノフィラメント、マルチフィラメント又は諸よりマルチフィラメントのヤーンから織成された基礎布を有し、これは、単層又は多層であってもよい。これらのヤーンは、ポリアミド、ポリエステル樹脂などの抄紙機用布技術における当業者にこれらの目的で使用される種々の合成ポリマー樹脂のいずれかから典型的に成形される。
【００１２】
本発明は、多層布をともに保持する一体化された機械方向（ＭＤ）の結合ヤーンの対を使用して、形成布における望ましくない排出に伴うマークを無くした布について述べる。先行技術において、ＭＤヤーンは、たった１０％のバインダー、または１００％ものバインダーからなるものであってもよい。対となって一体化されたＭＤヤーンを有する布について述べる文献としては、特許文献１（Ｏｓｔｅｒｂｅｒｇの特許）が挙げられ、この文献では、これらの対は、上部の織成に一体化された一部であって、下部の織成において結合ヤーンとして機能する。また、特許文献２（Ｖｏｈｒｉｎｇｅｒの特許）は、少なくとも１０％のＭＤヤーンからなるこれらの対について重点的に述べており、上部及び下部の織成において一体的な部分となっている。また、特許文献３（Ｊｏｈａｎｓｓｏｎの特許）は、これらの対からなる１００％のＭＤヤーンを有する。Ｏｓｔｅｒｂｅｒｇ、Ｖｏｈｒｉｎｇｅｒ及びＪｏｈａｎｓｓｏｎの特許の欠点は、ヤーンを互いに交差させ織成布において配列される方法を変化させて形成された強固な上部面の対角面（ｄｉａｇｏｎａｌ）及び強固な排出の対角面にある（Ｖｏｈｒｉｎｇｅｒの特許については、下記に詳細に述べる）。
【００１３】
図３は、Ｊｏｈａｎｓｓｏｎの特許の教示に従って織成した布の形成部側から見た図である。Ｊｏｈａｎｓｓｏｎの特許は、布の上部側及び下部側を交互に製造するＭＤヤーンの対で製造された１つの縦糸系を有する２層の形成布について述べる。これらの対の１つが上部面の織成パターンを織成する一方で、他の対は、下部面の織成パターンを織成する。これらの対は、その後、上部面の織成パターンを織成するヤーンが下部面を織成するように、且つその逆となるように、布の上部面と下部面との間を交差する。Ｊｏｈａｎｓｓｏｎに述べるように、各対は、１００％のＭＤヤーンからなる。図３において、対における２つのヤーンが互いに交差する交差点（ｃｒｏｓｓｏｖｅｒ  ｐｏｉｎｔ）３００に丸を付す。強固な形態上の対角面パターンを構築するように交差点が配列される態様について、注意を要する。対角線３１０は、同様の対角面パターンに沿った交差点の並び（ｓｅｑｕｅｎｃｅ）を強調する。不運なことに、対となって一体化された１００％のＭＤヤーンを使用する場合、対角面パターンに配列した交差点で形成されたこの強固な形態上の欠点を消失させるのに十分離れて交差点を分布させることは、不可能である。
【００１４】
形成布の設計は、所望する布の支持性と布の安定性との妥協も必要とする。微細なメッシュの布は、所望の紙表面特性を提供するかもしれないが、斯かる設計は、所望の安定性を有さない可能性があり、結果的に布の寿命を短縮させてしまう。一方、粗いメッシュの布は、繊維の支持性のコストにおいて、安定性と長い寿命とを提供する。この設計上のトレードオフの関係を最小限とし、支持性と安定性との両方を最適化するように、多層の布が開発されてきた。例えば、２層及び３層の布において、形成側は、支持性を担当するように、設計される一方で、摩耗側は、安定性を担当するように、設計される。
【００１５】
また、３層の設計では、布の形成表面を摩耗表面と独立に織成し得る。この非依存性故、３層設計布は、高いレベルの繊維の支持性と、最適な内部のボイド容量とを提供し得る。従って、これらの３層は、単層及び２層の設計に対して排出の点で有意に向上させ得る。
【００１６】
本質的に、３層の布は、形成層と摩耗層との２つの層を、結合ヤーンでともに保持してなる。この結合性は、布の全体の一体化に非常に重要である。３層の布に関する問題の１つには、経時的に布の破断をもたらす、これら２層間の相対的な滑りである。また、結合ヤーンは、紙のマーキングをもたらす形成層の構造を破壊する可能性がある。
【特許文献１】米国特許第４，５０１，３０３号明細書
【特許文献２】米国特許第５，１５２，３２６号明細書
【特許文献３】米国特許第４，６０５，５８５号明細書
【特許文献４】米国特許第５，１６９，４９９号明細書
【発明の開示】
【発明が解決しようとする課題】
【００１７】
本発明は、対となった縦糸の３層の布について、開示し、隣り合う対からの隣り合うヤーンが、隣り合う対の隣り合わないヤーンからの機械方向（ＭＤ）のセルの長さよりも大きい又は小さいＭＤのセルの長さを有するものである。本発明は、縦糸の交差点、及びこの交差点における右の縦糸と左の縦糸との配置に起因する、形態上及び排出のマーキングを最小限にする問題を解決する。本発明は、また、布の各層の滑りを最小限にすることを目的とする。
【課題を解決するための手段】
【００１８】
従って、本発明は、形成布に関するものであるが、抄紙機の形成部、プレス部及び乾燥部においても適用し得る。
【００１９】
本発明による布は、３層の形成布であって、機械を横切る方向（ＣＤ）の第１層及び第２層を有する対となった縦糸の結合ヤーンの最適な配置を有するものである。ＣＤヤーンの第１層は、布の形成側を形成し、ＣＤヤーンの第２層は、布の摩耗側を形成する。ＣＤヤーンと織り交ぜられるのは、機械方向（ＭＤ）のヤーンのシステムである。少なくともいくつかのＭＤヤーンは、第１ＭＤヤーン及び第２ＭＤヤーンを有する交差対と、第３ＭＤヤーン及び第４ＭＤヤーンを有する第２対とを有する対にグループ化される。この交差対は、ＣＤヤーンの第１層及び第２層と織り交ぜられる。この対は、第１ＭＤヤーンと第２ＭＤヤーンとの境界が対称である場合、１つの縦糸ビーム（ｂｅａｍ）から織成されてもよい。この対における縦糸の境界が非対称に設計される場合、交差対を織成するのに２つのビームを使用してもよい。第３ＭＤヤーンは、それ自体の縦糸ビームに由来するＣＤヤーンの第１層と織り交ぜられ、第４ＭＤヤーンは、それ自体の縦糸ビームに由来するＣＤヤーンの第２層と織り交ぜられる。少なくとも３つの縦糸ビームは、対称な縦糸の境界を有する交差対でパターンを織成するのに必要とされ、少なくとも４つの縦糸ビームは、交差対が非対称な縦糸の境界を有する場合、必要とされる。
【００２０】
本発明による他の実施例としては、抄紙機の形成部に使用され得る布であって、機械を横切る方向（ＣＤ）のヤーンの２つの層を有するものである。ＣＤヤーンと織り交ぜられるのは、ＭＤヤーンのシステムである。少なくともいくつかのＭＤヤーンは、第１ＭＤヤーン及び第２ＭＤヤーンを有する交差対と、第３ＭＤヤーン及び第４ＭＤヤーンを有する第２対とを有する交互の対にグループ化される。第１ＭＤヤーン及び第２ＭＤヤーンは、組み合わせて、第１層における２つよりも大きいシェッドパターン（ｓｈｅｄ  ｐａｔｔｅｒｎ）を織成し、且つ第１層と第２層との間を交差する。各対における左の縦糸ヤーン及び右の縦糸ヤーンは、隣り合う対からの隣り合う（ｌｉｋｅ−ａｄｊａｃｅｎｔ）ヤーンが隣り合う対からの隣り合わない（ｎｏｎ−ｌｉｋｅ  ａｄｊａｃｅｎｔ）ヤーンに由来するＭＤセルの長さよりも小さなＭＤセルの長さを有するように、配列される。第３ＭＤヤーンは、ＣＤヤーンの第１層と織り交ぜられ、第４ＭＤヤーンは、ＣＤヤーンの第２層と織り交ぜられる。
【００２１】
本発明による布は、無端の形態の形成部上に配置される。本発明による布のパターンは、縦糸の交差点の配置及び各交差対におけるヤーンの配置に由来する排出及び形態上のマーキングを最小限にする。このことは、隣り合う対からの隣り合うヤーンが隣り合う対からの隣り合わないヤーンからのＭＤセルの長さよりも大きい又は小さいＭＤセルの長さを有することにより、達成される。特に有用な場合において、交差点が繰り返すパターンのＣＤ方向における長さがＣＤ方向の織成パターンの繰り返しに分割可能となり、その結果２の倍数となり、且つ同じＣＤ方向の線に沿った交差点におけるヤーンが反対方向に伸びる場合、そのパターンは、ルーム（ｌｏｏｍ）が「装飾的な（ｆａｎｃｙ）」描写（ｄｒａｗ）にスレッド化される場合、パターンの繰り返しに関するフレームの数の半分のルーム上に、織成され得る。このことは、コストも少なく、複雑なルームも少なくすることができることから、製造者にとって有利である。
【００２２】
本発明の他の態様によると、本発明による布は、第１層と第２層との間にＣＤヤーンの第３層をさらに有してもよい。この布は、縦糸が長いフロート（ｌｏｎｇ  ｆｌｏａｔｓ）又は縦糸のランナー（ｒｕｎｎｅｒ）を摩耗に対する耐性を付与する摩耗側上に形成するように、織成されてもよい。この適用の目的に関し、長いフロートとは、縦糸が布の摩耗側の外部表面上を２つ以上のＣＤヤーンを横切ることを意味する。布のシュート比（ｓｈｕｔｅ  ｒａｔｉｏ）は、例えば１：１又は２：１の範囲などのように、変化してもよい。第１層及び第２層におけるＣＤヤーン及びＭＤヤーンの径は、種々の範囲であってもよい。さらに、第１層及び第２層のＣＤヤーンは、垂直に積層された位置に存在しなくてもよい。また、交差対における各ＭＤヤーンは、第１層と第２層との間を交差する場合、異なる数の連続するＣＤヤーンを横切ってもよい。
【発明を実施するための最良の形態】
【００２３】
下述する図について頻繁に参照して、本発明について詳細に説明する。
【００２４】
本発明をより完全に理解する目的で、以下の記載及び添付した図面について、説明する。
【００２５】
図３に示すＪｏｈａｎｓｓｏｎの特許に教示の布で示される強固な交差パターンの対角線３１０に対抗するため、本発明は、交差点を拡散するように、交差対間第２ＭＤヤーンの対を織成する。この第２対におけるヤーンの少なくとも１つは、形成側の織成パターンの一部となる。これらの追加のヤーンは、第２の縦糸システムとなり、得た布の構造は、３層となる。この交差対は、上部側及び下部側を共に結合する結合ヤーンを構築し、上部側の織成の一体化した一部である。必要な機械方向の引張強さを追加するため、第３の縦糸システムをこの第２の縦糸システムの下部に追加する。この第３の縦糸システムは、摩耗側を結合するか、下部側の織成の一体化した一部として機能するかする交差対を有する布の摩耗側を構築する。
【００２６】
図１は、隣り合う対からの隣り合うヤーンが隣り合う対からの隣り合わないヤーンからのＭＤセルの長さよりも大きなＭＤセルの長さを有するように配列された各対における左の縦糸ヤーン及び右の縦糸ヤーンのサテン織りの交差配置における対の縦糸布の形成側（ＦＤ）の表面図の例を示す。図２は、本発明による対となった縦糸の布の形成側の平面図であって、隣り合う対からの隣り合うヤーンが最適条件にある隣り合う対からの隣り合わないヤーンからのＭＤセルの長さよりも小さい長さを有するように配列された各対における左の縦糸ヤーン及び右の縦糸ヤーンのサテン織りの交差配列を示す。本発明は３層の布に関するものであるので、この織成は、別の形成側と摩耗側の層を有する。摩耗側のパターンは、示していない。各層は、ＣＤヤーン自体のセットからなる。このパターンは、ＣＤヤーンの各セットの後、形成側及び摩耗側の層の両方において繰り返している。従って、図１及び２の図は、ＭＤ方向における１つの完全なパターンを示す。
【００２７】
本発明では、交互の対にグループ化された４つのＭＤヤーンを使用する。図１及び２の各カラムは、ＭＤヤーンの対に対応する。ＭＤ方向の縦糸の第１対における各ヤーンは、形成側又は摩耗側の層のみを織成する。従って、第１カラム１００（図１及び２）は、第１対の形成縦糸を示し、ここで、縦糸のナックル（ｋｎｕｃｋｌｅ）は、”Ｘ”１０１で示す。縦糸の第２対は、形成側の層と摩耗側の層との間を織成する交差対である。従って、図１及び２における第２カラム１１０は、交差対における縦糸を有する。これらの図において、交差対の左のヤーンで形成された縦糸のナックルは、”Ｘ”１１１で示すが、単一の網掛けしたボックスで示す、クロスオーバー１２０として同様のカラムに位置する。また、交差対における右のヤーンで形成された縦糸のナックルは、Ｘで示すが、ナックル１３０の並びは、カラムの上下方向に垂直に伸びる網掛けのボックスで強調する。例えば、図１の第２カラムにおいて、右の縦糸は、形成側の５つのナックルを織成し、その後、摩耗側に交差する。一方、左の縦糸は、５つのナックルについて形成側に交差する前に、摩耗側と織成する。この位置において、左の縦糸と右の縦糸とが再度交差する。従って、図１及び２においてその他のカラム毎に示したように、交差対における各ヤーンは、他の層と交差する前に、ひとつの層における複数のＣＤヤーンを橋渡し（ｓｐａｎ）する。ボックス１４０は、右のヤーンが隣り合う対のその他のそれぞれと隣り合うパターンにおけるセルを強調する。ボックス１５０は、左のヤーンが隣り合う対のその他のそれぞれと隣り合うパターンにおけるセルを強調する。ボックス１６０は、ひとつの対からの左のヤーン及びこのひとつの対に隣り合う対の右のヤーンが互いに隣り合うパターンにおけるセルを強調する。隣り合う対（１４０及び１５０）からの隣り合うヤーンで生じるこれらのセルのＭＤ方向の長さは、隣り合う対（１６０）からの隣り合わないヤーンから生じるセルの長さよりも大きい場合、このパターンは、紙シートの強固な対角面のマークに対応する広い対角面のバンドを有する。図１及び２における重なり合った対角線は、このパターンにおける交差対のそれぞれの左のヤーン及び右のヤーンの配置で形成された対角パターンを示す。図２における対角線は、図１の対角線よりも垂直に近く配向しており、従って、この対における左のヤーン及び右のヤーンの配置で生じる排出パターンを大幅に減少させている。このことは、図２において、隣り合う対（１４０及び１５０）からの隣り合うヤーンで生じたセルのＭＤ方向の長さが、隣り合う対（１６０）からの隣り合わないヤーンで生じたセルの長さよりも大きいか小さいためである。図２は、交差並びに右のヤーン及び左のヤーンの好適な組み合わせを提供するものであって、本発明の好適な実施例である。
【００２８】
図２は、同じＣＤ方向の線に沿った交差におけるヤーンが反対側に伸びる交差配置を示す。円２００及び四角２１０は、その交差の繰り返しにおける同じ交差点を強調する。しかしながら、その右のヤーン及び左のヤーンは、これらの交差において反対側に伸びる。円２００で強調した交差における右のヤーンは、上方に伸びる一方で、四角２１０で強調した交差における右のヤーンは、下方に伸びる。
【００２９】
図２のパターンは、４０のＭＤヤーンの繰り返し（全ての回で上部上に２０のヤーン）であり、直線的な描写で４０のフレームのルーム（ｌｏｏｍ）上に織成されてもよく、「装飾的（ｆａｎｃｙ）な描写で２０のフレームのルーム上に織成されてもよい。図１は、同じＣＤ方向の線に沿った交差におけるヤーンが同じ方向に伸びる交差配置を示し、従って、この交差パターン及び織成パターンは、同じ繰り返しの長さを有する。また、これは、装飾的な描写でルーム上にフレームの半分の数で織成され得ない。図６は、本発明による３層の布を織成するように３つの縦糸を有する「装飾的」な描写で設定された１つの特別なハーネスのルームについての概略図を示す。比較するため、図５は、直線的な描写で設定された同様のハーネスルームを示す概略図である。図５及び６において、機械方向は、縦方向であり、機械を横切る方向は、横方向である。各カラムは、ＭＤヤーンであり、各ロー（ｒｏｗ）は、ルーム上のフレームを示す。示した装飾的な描写のハーネス６１０及び直線的な描写のハーネス６００は、図６において同じフレームに沿って示す。装飾的な描写は、同じＣＤ方向の線に沿った交差におけるヤーンが異なる方向に伸びる布を織成する際、ルームのハーネスに必要な数を半分に減少させ、交差パターンの繰り返しの長さは、織成パターンの繰り返しパターンに分割され得る。また、その結果、２の倍数となる。本発明は、１６及び２０のハーネスのルームとその他の数のハーネスを有するルームとに適用可能である。事実、交差の分散と、各交差対における左の縦糸及び右の縦糸の配列には、４０の縦糸の繰り返しが最適である。各ビームの織成パターンについては、後述する。本発明は、示したような３つのビームの実施例に好ましく実用化されるが、対となる縦糸のヤーンが非対称な境界を有する場合、３つ以上のビームにも実用化され得る。これらの交差対は、上部及び下部のＭＤヤーンの１つ以上で分割されてもよい。この図及びその他の図における抄紙機用布のヤーン間の空間は、明確に示すため、誇張されている。装飾的な描写は、フレームの数の半分を必要とするので、適用可能な製造者には有益である。
【００３０】
図４は、Ｖｏｈｒｉｎｇｅｒの特許に従った対となる縦糸の布についての形成側（ＦＳ）の平面図を示す。ここで、交差する縦糸の対は、３つの上部のＭＤヤーンで分割されている。この対における左のヤーンと右のヤーンの配列で形成されたＣＤ方向のパターンに留意する。このことは、望ましくない。なぜなら、紙シートに導入することとなるＣＤ方向の排出マーキングを生じるためである。この交差配列は、隣り合う対からの隣り合うヤーンが隣り合う対からの隣り合わないヤーンからのＭＤ方向のセルの長さと同じであるように配列されている。この場合、同じＣＤ方向の線に沿った交差におけるヤーンは、所望しない排出で生じるマークを最小限とするように、反対方向に伸びる必要がある。この布は、ＣＤ方向の線に沿った同じ交差４００を強調する円で示したように、同じ方向に伸びる同じＣＤ線に沿った交差におけるヤーンを有する。
【００３１】
図７Ａ及び７Ｂは、布の形成側の図を示しており、ａ）隣り合う対からの隣り合うヤーンが隣り合う対からの隣り合わないヤーンからのＭＤ方向のセルの長さよりも大きいＭＤ方向のセルの長さを有するように配列された対における左の縦糸ヤーン及び右の縦糸ヤーンのサテン織りの交差の配列で織成されたものを示すとともに、ｂ）隣り合う対からの隣り合うヤーンが隣り合う対からの隣り合わないヤーンからのＭＤ方向のセルの長さよりも小さいＭＤ方向のセルの長さを有するように配列された対における左の縦糸ヤーン及び右の縦糸ヤーンのサテン織りの交差配列で織成されたものをそれぞれ示す。図７Ａの写真は、上部側が平織りで下部側が一つの下部側のヤーンのそれぞれに２つの上部側のＣＤヤーンを有する５シェッド（ｓｈｅｄ）である２０のＭＤヤーンの繰り返しで織成された布の形成側を示す。この布は、対となったＭＤ方向のバインダーからなる全体の縦糸システムの５０％を有する。円７００は、１つのＣＤ方向の線に沿った交差点を強調する。ボックス７２０は、ＭＤヤーンの単一の対を強調する。縦糸の５０％が、これらの対であることに留意する。これらの対は、１つの上部のＭＤヤーン、及び上部のＭＤヤーンの下部に積層された１つの下部のＭＤヤーンで分割される。
【００３２】
図７Ａのパターンにおいて、その交差点は、形成側の全体に一様に分布され、これにより、強固な形態上の対角面のマークを消失させる。強固な排出の対角面は、布の内部にいまや明らかである。この排出の対角面の問題は、図８Ａにおいて明らかであって、この図は、図７Ａの布を透過した光の写真を示す。強固な対角線の暗部と光の領域とに留意する。より暗い領域は、布の閉鎖領域に存在する一方、光の領域は、より大きな空きスペースに存在する。排出は、この暗い部分で妨害され、これにより、紙に所望しない排出マークを残存させる。
【００３３】
この排出の問題は、対における左の縦糸ヤーン及び右の縦糸ヤーンの配列による。この対における左の縦糸ヤーン及び右の縦糸ヤーンは、隣り合う対からの隣り合うヤーンが隣り合う対からの隣り合わないヤーンからのＭＤ方向のセルの長さよりも大きいＭＤ方向のセルの長さを有するように配列される。この並びは、究極的に図８Ａに示した排出マークをもたらす。この布は、同じ方向に伸びる同じＣＤ方向の線に沿った交差における同様のヤーンを有する。図７Ａに示すように、各円７００は、１つのＣＤ方向の線に沿った対の左のヤーン及び右のヤーンの交差点を強調する。この交差点において、全ての右のヤーンは、上方に伸び、全ての左のヤーンは、下方に伸びる。
【００３４】
排出のマークの問題を消失させるため、交差点におけるヤーンの位置を配列する必要がある。本発明による布を、図７Ｂに示す。この布は、対における左の縦糸ヤーン及び右の縦糸ヤーンが、隣り合う対からの隣り合うヤーンが隣り合う対からの隣り合わないヤーンからのＭＤ方向のセルの長さよりも小さいＭＤ方向のセルの長さを有するように配列されている以外は、図７Ａとほぼ同様である。この布は、反対方向に伸びる同様のＣＤ方向の線に沿った交差における同様のヤーンを有する。この対は、交差７００から上方に伸びる対における左のヤーンから、交差７１０において下方に伸びる対における左のヤーンへと至る。図８Ｂに示す透過した光の写真に示すように、強固な暗部の対角は、消失し、光及び暗部のスポットは、より一様に分布している。最適な形態上の特性に交差点が分布しているばかりでなく、対における左のヤーン及び右のヤーンが最適な排出特性をも生じている。
【００３５】
図９Ａ及び９Ｂは、本発明による対となった縦糸の３層の特定の例についての断面図を示す。図９Ａは、下部の摩耗側の一体化部分として機能する対となった縦糸のヤーンが１：１のシュート比（ｓｈｕｔｅ  ｒａｔｉｏ）を有するものを示す。図９Ｂは、下部側にバインダーとして機能する対となった縦糸のヤーンが２：１のシュート比を有するものを示す。図９Ａにおいて、偶数の番号のＣＤヤーンは、形成側の層を形成し、奇数のＣＤヤーンは、摩耗側の層を形成する。
【００３６】
交差する縦糸の対は、第１縦糸９０１及び第２縦糸９０２を有する。第２の縦糸の対は、形成側の縦糸９０３及び摩耗側の縦糸９０４を有する。形成側の縦糸９０３は、形成側の織成パターンに寄与する第２の縦糸のシステムを示し、交差を分離するように対となった一体のバインダー間に織成される。摩耗側の縦糸９０４は、第２の縦糸のシステムの下部に直接積層される第３の縦糸のシステムを示し、摩耗側の織成パターンに寄与する。交差する対となった縦糸ヤーンは、バインダーとして機能してもよく、布の摩耗側の一体化の一部であってもよい。従って、本発明の第１の実施例は、第１の縦糸のビームに由来する交差する縦糸の第１対を有する一方、縦糸の第２の対における各縦糸は、分離した縦糸のビームに由来する。この実施例は、全体のＭＤ方向の縦糸のシステムの５０％で構築されている。第２の縦糸のシステム及び第３の縦糸のシステムは、全体の縦糸のシステムの２５％に寄与する。
【００３７】
図９Ｃ、９Ｄ及び９Ｅは、対となった縦糸の３層の布の一例についての断面図を示しており、いくつかの摩耗側の縦糸は、摩耗耐性のため、長いフロート（ｌｏｎｇ  ｆｌｏａｔ）又は縦糸ランナー（ｗａｒｐ  ｒｕｎｎｅｒ）を形成するものである。特に、図９Ｃにおいて、交差する縦糸の対における各縦糸は、摩耗側で長いフロートを生じてもよい一方、図９Ｄにおいて、第３の縦糸のシステム、つまり摩耗側の縦糸９０４は、摩耗側上で長いフロートを形成する。このフロートを形成するのに、各縦糸の種々の組み合わせを使用してもよい。さらに、図９Ｅに示すように、交差する対の縦糸及び第３の縦糸のシステムの両方は、縦糸のランナーを形成してもよい。図９Ｃ、９Ｄ及び９Ｅに４以上のフロートの長さを有するものを示しているが、２以上の長さの他のフロートを利用してもよい。図９Ｃ及び９Ｄは、ＭＤ方向の縦糸の５０％が縦糸ランナーであるパターンを示す一方で、図９Ｅでは、１００％のＭＤ方向の縦糸が縦糸ランナーとして機能するものを示す。本発明による縦糸ランナーは、摩耗側の摩耗耐性を提供するばかりでなく、この種の布を運行させる抄紙機上の荷重を軽減する機能を有する。
【００３８】
図１０Ａ、１０Ｂ及び１０Ｃは、本発明による対となった縦糸の３層の布の一例についての摩耗側のパターンの図であって、摩耗側の縦糸は、長いフロート又は縦糸のランナーを形成するものである。特に、図１０Ａは、５シェッドの摩耗側の縦糸のランナーと２：１のシュート比を有する布用の摩耗側のシュート及び縦糸の図である。図１０Ｂは、５シェッドの摩耗側の縦糸のランナーと１：１のシュート比を有する布用の摩耗側のシュート及び縦糸の図である。図１０Ｃは、５シェッドの摩耗側の縦糸のランナーの布を示しており、ＣＤ方向の梱包ヤーン（ｐａｃｋｉｎｇ  ｙａｒｎ）を追加したものである。
【００３９】
本発明の他の実施例を示したのが、図９Ｆである。この実施例において、布の形成表面は、平織り（２シェッド）のパターンに限定されない。例えば、図９Ｆは、５シェッドの形成表面を有する対となった縦糸の３層の布の特定の例についての断面図を示す。第１縦糸９０１及び第２縦糸９０２の交差対は、組み合わせて、形成表面において５シェッドのパターンを織成する。形成側の縦糸９０３もまた、５シェッドのパターンに織成される。この実施例と異なる態様は、図９Ｂに示す２シェッドのパターンと比較して、明らかである。
【００４０】
図９Ｆがこの実施例用の縦糸の境界の一例を示す一方、図１１Ａ及び１１Ｂは、それぞれ５シェッド及び１０シェッドのシュートの境界を示す。これらの図１１Ａ及び１１Ｂの両方の図において、形成側のＣＤヤーン１１０１は、５シェッドのパターンを有する一方、摩耗側のＣＤヤーン１１０２は、図１１Ａでは５シェッドのパターンで示され、図１１Ｂでは、１０シェッドのパターンで示されている。
【００４１】
図１２Ａ及び１２Ｂは、図９Ｆに示した実施例用の形成側の交差の配置の平面図をそれぞれ示す。図１２Ａは、直線的な描写を用いて織成された４シェッドのパターン、又は２０のフレームのハーネスの形成側のものを示す。図１２Ｂは、装飾的な描写を用いて織成され、又は４０のフレームのハーネスで織成された同様のパターンであって、この実施例の理想を示すものである。より暗く網掛けされた領域は、交差対の右のヤーンの形成側の境界に対応する一方、より明るく網掛けされた領域は、縦糸のヤーンの交差（つまり、交差する対のヤーンは、１つの層から他の層に交差する）に対応する。円形の交差１２０５は、右のヤーンが形成層へと上方に交差する一方、左のヤーンが摩耗層へと下部に交差する交差の配向を示す。図１２Ａにおいて、ボックス状のセル１２０１は、隣り合う「右」のヤーンの領域を示す一方、ボックス状のセル１２０２は、隣り合う「左」のヤーンの領域を示す。逆に、図１２Ｂでは、ボックス状のセル１２０３は、隣り合わないヤーンの領域を示す。図１に示すように、図１２Ａにおいて、隣り合う対からの隣り合うヤーンで生じたセルの長さは、隣り合う対からの隣り合わないヤーンで生じたセルよりも大きい。従って、図１２Ａに示すパターンは、紙シート上で強固な対角のマーキングをもたらす。図１２Ｂにおいて、図２と同様であるが、隣り合う対からの隣り合うヤーンで生じたセルの長さは、隣り合う対からの隣り合わないヤーンで生じたセルの長さ以下である。従って、図１２Ｂのパターンは、対角のマーキングを減少させ、結果として、シートをマーキングする特性が向上する。
【００４２】
この例示のパターンにおいては、５シェッドのパターンを示しているが、この実施例は、このような態様に限定されず、種々の数のシェッドを有するパターンを含む。この実施例は、ティシュー型の紙の形成に使用するのに特に適する。
【００４３】
本発明による他の態様としては、パターンが摩耗側のシュート比が１：１、２：１、３：２、又はその他の本技術分野において公知の比率のものであってもよい。形成側のシュートは、摩耗側のシュートに対して、積層されてもよいし、積層されなくてもよい。本発明による布は、３つの積層されたシュートを有してもよく、従って、第１層と第２層との間にＣＤヤーンの第３層を有するものであってもよい。また、交差対における各ＭＤヤーンは、第１層と第２層との間を交差する場合、異なる数の連続するＣＤヤーンに対して通過してもよい。交差する縦糸は、サテン織りのモチーフで横断してもよく、或いは直線的な綾織り（ｔｗｉｌｌ）のモチーフを有してもよい。３層に積層されたシュートの布において、交差する縦糸は、表面から中心の層へと織成してもよく、或いは表面から表面へと織成してもよい一方で、摩耗側の縦糸は、摩耗側から中心層へと織成してもよく、或いは、摩耗側でのみ織成してもよい。これらの例は、本発明の代表例を単に示すものであって、本発明を限定することを意図するものではない。
【００４４】
本発明による布は、モノフィラメントのヤーンのみを好ましく有する。特に、ＣＤヤーンは、抗汚染性のポリエステルモノフィラメントであってもよい。斯かる抗汚染性は、標準的なポリエステルと比較してより変形し易いものであってもよく、結果として、より非変形性のヤーンと比較して、比較的低い透過性（例えば、１００ＣＦＭ）を有するように布をより簡便に織成し得る。ＣＤヤーン及び／又はＭＤヤーンは、１つ以上の異なる径の円形の断面形状を有してもよい。また、形成側及び摩耗側におけるＣＤヤーン及びＭＤヤーンは、異なる径を有してもよい。形成側のＣＤヤーン及びＭＤヤーンは、摩耗側のＣＤヤーン及びＭＤヤーンよりも小さい径を好ましく有してもよい。しかしながら、本発明において、ヤーンの径は、異なる種々の組み合わせで使用されてもよい。さらに、いくつか又は全てのＣＤヤーン及び／又はＭＤヤーンは、方形の断面形状及び／又は非円形の断面形状などのその他の１つ以上の断面形状を有してもよい。
【００４５】
ＣＤヤーンは、抄紙機の布用の斯かるヤーンの製造に使用される種々の合成ポリマー樹脂の円形断面を有するモノフィラメントヤーンであってもよい。ポリエステル及びポリアミドは、斯かる材料の２つの例である。斯かる材料の他の例としては、名称ＲＹＴＯＮ（登録商標）で市販されているポリフェニレンサルファイド（ＰＰＳ）があり、特許文献４に開示され、ＴＨＥＲＭＯＮＥＴＩＣＳ（登録商標）でＡｌｂａｎｙ  Ｉｎｔｅｒｎａｔｉｏｎａｌ  Ｃｏｒｐ．から市販されている種々の、改変された熱耐性、加水分解耐性及び汚染耐性を有するポリエステルがある。なお、特許文献４の開示の内容を参照して、本願に取り込む。さらに、斯かる材料として、ポリ（シクロヘキサンジメチレン  テレフタレート−イソフタレート）（ＰＣＴＡ）、ポリエーテルエーテルケトン（ＰＥＥＫ）及びその他のものを使用してもよい。
【００４６】
上述の事項の改変は、当業者に明らかであって、このように改変することは、本発明の範囲を超えるものではない。添付した特許請求の範囲は、斯かる状況を包含するように解釈されるべきものである。
【図面の簡単な説明】
【００４７】
【図１】隣り合う対からの隣り合うヤーンが隣り合う対からの隣り合わないヤーンからのＭＤセルの長さよりも大きなＭＤセルの長さを有するように配列された、対における左の縦糸ヤーン及び右の縦糸ヤーンを有するサテン織りの交差配置についての形成側の平面図を示す。
【図２】隣り合う対からの隣り合うヤーンが隣り合う対からの隣り合わないヤーンからのＭＤセルの長さよりも小さなＭＤセルの長さを有するように配列された、対における左の縦糸ヤーン及び右の縦糸ヤーンを有するサテン織りの交差配置についての形成側の平面図を示す。
【図３】Ｊｏｈａｎｓｓｏｎの特許の教示に従って織成した布の形成側の図である。
【図４】Ｖｏｈｒｉｎｇｅｒの特許の教示に従った交差配置についての形成側の平面図を示す。
【図５】直線的な描写で設定したハーネスルーム（harness loom）の１つの特定の例を示す概略図である。
【図６】装飾的な描写で設定したハーネスルームの１つの特定の例を示す概略図である。
【図７Ａ】隣り合う対からの隣り合うヤーンが隣り合わないヤーンからのＭＤセルの長さよりも大きいＭＤセルの長さを有するように配置された対における左の縦糸ヤーン及び右の縦糸ヤーンのサテン織りの交差配置で織成された布の形成側の図を示す。
【図７Ｂ】隣り合う対からの隣り合うヤーンが隣り合う対からの隣り合わないヤーンからのＭＤセルの長さよりも小さいＭＤセルの長さを有するように配置された対における左の縦糸ヤーン及び右の縦糸ヤーンのサテン織りの交差配置で織成された布の形成側の図を示す。
【図８Ａ】図７Ａで示す布を通過した光を示す。
【図８Ｂ】図７Ｂで示す布を通過した光である。
【図９Ａ】本発明による対となった縦糸の３層の布において、１：１のシュート比を有する特定の例についての断面図を示す。
【図９Ｂ】本発明による対となった縦糸の３層の布において、２：１のシュート比を有する特定の例についての断面図を示す。
【図９Ｃ】本発明による布の摩耗側上において、縦糸が長いフロート又は縦糸ランナーを形成した対となった縦糸の３層の布の例についての断面図を示す。
【図９Ｄ】本発明による布の摩耗側上において、縦糸が長いフロート又は縦糸ランナーを形成した対となった縦糸の３層の布の例についての断面図を示す。
【図９Ｅ】本発明による布の摩耗側上において、縦糸が長いフロート又は縦糸ランナーを形成した対となった縦糸の３層の布の例についての断面図を示す。
【図９Ｆ】本発明の一実施例に従った５シェッドの形成表面を有する対となった縦糸の３層布の特定の例についての断面図を示す。
【図１０Ａ】本発明による布の摩耗側上において、縦糸ヤーンが長いフロート又は縦糸ランナーを形成した、対となった縦糸の２層布の摩耗側のパターンを示す図である。
【図１０Ｂ】本発明による布の摩耗側上において、縦糸ヤーンが長いフロート又は縦糸ランナーを形成した、対となった縦糸の２層布の摩耗側のパターンを示す図である。
【図１０Ｃ】本発明による布の摩耗側上において、縦糸ヤーンが長いフロート又は縦糸ランナーを形成した、対となった縦糸の２層布の摩耗側のパターンを示す図である。
【図１１Ａ】図９Ｆに示した例についての５シェッドのシュート境界を示す。
【図１１Ｂ】図９Ｆに示した例についての１０シェッドのシュート境界を示す。
【図１２Ａ】図９Ｆに示した例についての直線的描写を用いた交差配置の形成側の平面図を示す。
【図１２Ｂ】図９Ｆに示した例についての装飾的描写を用いた交差配置の形成側の平面図である。
【符号の説明】
【００４８】
１００      第１カラム
１０１      Ｘ
１１０      第２カラム
１１１      Ｘ
１２０      クロスオーバー
１３０      ナックル
１４０      ボックス
１５０      ボックス
１６０      ボックス
２００      円
２１０      四角
３００      交差点
３１０      対角線
４００      交差
６００      ハーネス
６１０      ハーネス
７００      円
７１０      交差
７２０      ボックス
９０１      第１縦糸
９０２      第２縦糸
９０３      形成側の縦糸
９０４      摩耗側の縦糸
１１０１    形成側のＣＤヤーン
１１０２    摩耗側のＣＤヤーン
１２０１    ボックス状のセル
１２０２    ボックス状のセル
１２０３    ボックス状のセル
１２０５    交差
【図１】
2008509294.tif 000003
【図２】
2008509294.tif 000004
【図４】
2008509294.tif 000005
【図５】
2008509294.tif 000006
【図６】
2008509294.tif 000007
【図３】
2008509294.tif 000008
【図７Ａ】
2008509294.tif 000009
【図７Ｂ】
2008509294.tif 000010
【図８Ａ】
2008509294.tif 000011
【図８Ｂ】
2008509294.tif 000012
【図９Ａ】
2008509294.tif 000013
【図９Ｂ】
2008509294.tif 000014
【図９Ｃ】
2008509294.tif 000015
【図９Ｄ】
2008509294.tif 000016
【図９Ｅ】
2008509294.tif 000017
【図９Ｆ】
2008509294.tif 000018
【図１０Ａ】
2008509294.tif 000019
【図１０Ｂ】
2008509294.tif 000020
【図１０Ｃ】
2008509294.tif 000021
【図１１Ａ】
2008509294.tif 000022
【図１１Ｂ】
2008509294.tif 000023
【図１２Ａ】
2008509294.tif 000024
【図１２Ｂ】
2008509294.tif 000025
【国際調査報告】
2008509294.tif 000026
2008509294.tif 000027